(57)【要約】【課題】  煩雑な操作をその都度行うこと無く所望の印刷フォームに従って所定期間に亘るデータを得ることができ、また、データの機密性も保持し得る印刷装置の制御技術を提供することを課題とする。【解決手段】  コンピュータが、複数のスケジュールに従って基準データと基準データの取得後に取得予定の遊技データを取得し、これら各データをその属性に従って順次グループ分けし、同一のグループに属する基準データ及び取得予定の遊技データを当該グループに対応付けした印刷フォームに従って印刷装置に印刷させる。また、このとき取得予定の遊技データの印刷領域は、基準データの下段に割当てられて印刷される。【選択図】  図３
2006318130.tif 000002
【特許請求の範囲】
【請求項１】
複数のスケジュールに従って取得したデータを印刷装置に印刷させるための印刷支援装置であって、
前記複数のスケジュールに従って第１のデータを複数取得する第１取得手段と、
前記スケジュールに於いて前記第１のデータの取得後に取得予定の第２のデータを複数取得する第２取得手段と、
前記第１のデータ及び第２のデータの属性に基づいて、これら複数のデータを複数のグループに順次振分ける振分手段と、
前記グループの各々に固有の印刷フォームを個別に対応付ける対応付手段と、
所望のグループに属した前記データの印刷要求を受付ける受付手段と、
印刷要求のあったグループに対応する前記印刷フォームに、当該グループに属する第１のデータの印刷領域を割当てる第１割当手段と、
前記第１のデータの印刷領域と異なる位置に、前記第１のデータと同グループに振分けられた前記第２のデータの印刷領域を割当てる第２割当手段と、
前記印刷要求があったときに、前記印刷フォームに従って前記第１のデータを印刷装置に印刷させる第１印刷手段と、
前記印刷要求を再び受付けたときに、前記印刷フォームに従って前記第２のデータを前記印刷装置に印刷させる第２印刷手段と、
を備えたことを特徴とする印刷支援装置。
【請求項２】
前記グループの各々に前記印刷フォームを個別に対応付ける対応付手段は、識別コードによってその対応関係を特定すると共に、この識別コードを前記印刷装置によって印刷シートに印刷し、
前記所望のグループに属した前記データの印刷要求を受付ける受付手段は、前記印刷シートに印刷された識別コードを認識すると共に、前記印刷要求の対象となった前記グループに対応する識別コードを認識したときに、そのグループに属したデータの印刷要求とみなすことを特徴とする請求項１に記載の印刷支援装置。
【請求項３】
前記識別コードは、バーコードであることを特徴とする請求項２に記載の印刷支援装置。
【請求項４】
前記第１のデータより以前に取得したデータを、その属性に従って前記グループに振分ける手段と、
前記第１のデータより以前に取得したデータの印刷領域を、同グループに属した前記第１のデータ及び第２のデータの印刷領域と異なる位置に割当てる手段と、をさらに備え、
前記印刷要求があったときに、前記印刷フォームに従って前記第１のデータを印刷装置に印刷させる手段は、前記第１のデータと共に、この第１のデータと同グループに属した前記第１のデータより以前に取得したデータを前記印刷フォームに従って前記印刷装置に印刷させることを特徴とする請求項１から３の何れかに記載の印刷支援装置。
【請求項５】
コンピュータが、複数のスケジュールに従って取得したデータを印刷装置に印刷させる方法であって、
前記複数のスケジュールに従って第１のデータを複数取得するステップと、
前記スケジュールに於いて前記第１のデータの取得後に取得予定の第２のデータを複数取得するステップと、
前記第１のデータ及び第２のデータの属性に基づいて、これら複数のデータを複数のグループに順次振分けるステップと、
前記グループの各々に固有の印刷フォームを個別に対応付けるステップと、
所望のグループに属した前記データの印刷要求を受付けるステップと、
印刷要求のあったグループに対応している前記印刷フォームに、このグループに属する第１のデータの印刷領域を割当てるステップと、
前記第１のデータの印刷領域と異なる位置に、前記第１のデータと同グループに振分けられた前記第２のデータの印刷領域を割当てるステップと、
前記印刷要求があったときに、前記印刷フォームに従って前記第１のデータを印刷装置に印刷させるステップと、
前記印刷要求を再び受付けたときに、前記印刷フォームに従って前記第２のデータを前記印刷装置に印刷させるステップと、
を前記コンピュータに実行させることを特徴とする印刷支援方法。
【請求項６】
前記グループの各々に前記印刷フォームを個別に対応付けるステップでは、識別コードによってその対応関係を特定すると共に、この識別コードを前記印刷装置によって印刷シートに印刷させ、
前記所望のグループに属した前記データの印刷要求を受付けるステップでは、前記印刷シートに印刷された識別コードを認識すると共に、前記印刷要求の対象となったグループに対応する識別コードを認識したときに、そのグループに属したデータの印刷要求とみなすことを特徴とする請求項５に記載の印刷支援方法。
【請求項７】
前記第１のデータより以前に取得したデータを、その属性に従って前記グループに振分けるステップと、
前記第１のデータより以前に取得したデータの印刷領域を、同グループに属した前記第１のデータ及び第２のデータの印刷領域と異なる位置に割当てるステップと、をさらに備え、
前記印刷要求があったときに、前記印刷フォームに従って前記第１のデータを印刷装置に印刷させるステップは、前記第１のデータと共に、この第１のデータと同グループに属した前記第１のデータより以前に取得したデータを前記印刷フォームに従って前記印刷装置に印刷させることを特徴とする請求項５又は６に記載の印刷支援方法。
【請求項８】
コンピュータが、複数のスケジュールに従って取得したデータを印刷装置に印刷させるための印刷支援プログラムであって、
前記複数のスケジュールに従って第１のデータを複数取得するステップと、
前記スケジュールに於いて前記第１のデータの取得後に取得予定の第２のデータを複数取得するステップと、
前記第１のデータ及び第２のデータの属性に基づいて、これら複数のデータを複数のグループに順次振分けるステップと、
前記グループの各々に固有の印刷フォームを個別に対応付けるステップと、
所望のグループに属した前記データの印刷要求を受付けるステップと、
印刷要求のあったグループに対応している前記印刷フォームに、このグループに属する第１のデータの印刷領域を割当てるステップと、
前記第１のデータの印刷領域と異なる位置に、前記第１のデータと同グループ
に振分けられた前記第２のデータの印刷領域を割当てるステップと、
前記印刷要求があったときに、前記印刷フォームに従って前記第１のデータを印刷装置に印刷させるステップと、
前記印刷要求を再び受付けたときに、前記印刷フォームに従って前記第２のデータを前記印刷装置に印刷させるステップと、
を前記コンピュータに実行させることを特徴とするコンピュータ実行可能な印刷支援プログラム。
【発明の詳細な説明】
【技術分野】
【０００１】
本発明は印刷装置の制御技術に関し、より詳細には、複数のデータを順次印刷装置に追記印刷させるための印刷装置の制御技術に関する。
【背景技術】
【０００２】
この種の背景技術として、例えば、下記特許文献に示す遊技管理装置が知られている。
この遊技管理装置は、遊技機の売上げデータを把握するための売上集計データや、遊技機の釘調整に用いる釘調整用稼働台集計データを帳票として表示又は印刷して打ち出すための装置である。
【０００３】
また、その構成は、遊技管理装置と、遊技管理装置に接続されたプリンタを備え、釘調整用の遊技データを印刷するときには、一枚の用紙に複数日に亘って遊技データを並べて印刷することができる。
例えば、４日間に亘って遊技データを印刷するときには、オペレータが業務管理コンピュータを操作して、印刷期間４日間を指定し、また、印刷を要するデータを指定する。そして、プリンタに同じ用紙を４回に亘ってセットして印刷を繰返すと、一枚の用紙に４日のデータを印刷することができる。
【特許文献１】特開平０９−１６４２５８号公報
【発明の開示】
【発明が解決しようとする課題】
【０００４】
上記した従来の印刷技術によれば、複数日の遊技データが記載された遊技データ表を得ることができる。しかしながら、この遊技データ表を得るには、担当者自らが、遊技用管理装置を操作して印刷すべき遊技データをその都度指定し、さらに、遊技データを複数日に亘って印刷するように印刷時の書式を指定して、始めて複数日の遊技データを一枚の用紙に並べて印刷することができる。
【０００５】
ところで、売上集計データや釘調整用稼働台集計データは遊技店の機密情報に相当するため、これら機密情報の蓄積された遊技用管理装置を操作できる担当者は実質的に限られている。また、一方で、売上集計データや釘調整用稼働台集計データは、遊技店において日常煩雑に使用されるデータであり、担当者は、データの取扱いに慎重を期しつつも、その都度、煩雑な条件設定を行って遊技データ表を作成していた。
【０００６】
このため、多数の遊技機が設置された大規模店や、遊技用管理装置を操作することのできる権限を有した担当者が少ない遊技店においては、担当者に多くの労力と精神的負担が課されていた。
【０００７】
本発明は、このような技術的背景を考慮してなされたものであり、煩雑な操作をその都度行うこと無く所望の印刷フォームに従って所定期間に亘るデータを得ることができ、また、データの機密性も保持し得る印刷装置の制御技術を提供することを課題とする。
【課題を解決するための手段】
【０００８】
上記した技術的課題を解決するために本発明では以下の構成とした。
本発明は、複数のスケジュールに従って取得したデータを印刷装置に印刷させるための印刷支援装置であって、前記複数のスケジュールに従って第１のデータを複数取得する第１取得手段と、前記スケジュールに於いて前記第１のデータの取得後に取得予定の第２のデータを複数取得する第２取得手段と、前記第１のデータ及び第２のデータの属性に基づ
いて、これら複数のデータを複数のグループに順次振分ける振分手段と、前記グループの各々に固有の印刷フォームを個別に対応付ける対応付手段と、所望のグループに属した前記データの印刷要求を受付ける受付手段と、印刷要求のあったグループに対応している前記印刷フォームに、このグループに属する第１のデータの印刷領域を割当てる第１割当手段と、前記第１のデータの印刷領域と異なる位置に、前記第１のデータと同グループに振分けられた前記第２のデータの印刷領域を割当てる第２割当手段と、前記印刷要求があったときに、前記印刷フォームに従って前記第１のデータを印刷装置に印刷させる第１印刷手段と、前記印刷要求を再び受付けたときに、前記印刷フォームに従って前記第２のデータを前記印刷装置に印刷させる第２印刷手段と、を備えたことを特徴とする。
【０００９】
本構成によれば、印刷支援装置は、第１のデータと、取得予定の第２のデータを複数の様々なスケジュールに従って取得し、これら各データをその属性に従って順次グループ分けし、同一のグループに属する第１のデータ及び第２のデータを当該グループに対応付けした印刷フォームに従って印刷装置に印刷させる。また、第２のデータの印刷領域は、第１のデータと異なる印刷領域に割当てられて印刷される。
【００１０】
すなわち、印刷に供するデータの選択や、スケジュールに従ったデータの並び換え、また、印刷シートに対する印刷領域の設定作業等が印刷支援装置によって処理されるため、印刷要求を印刷支援装置に対して行うのみで、所望のグループに属した第１のデータ及び第２のデータが自動的に選別され、また、第１のデータより後に取得予定の第２のデータについては、第１のデータと異なる領域に印刷されることになる。このように本構成では、データの取得の有無を問わず、そのグループに属する予定のデータに予め印刷要求を発生させることができる。
【００１１】
なお、上記で第１のデータ及び第２のデータとは、２つの限定された内容を意図するデータではなく、スケジュールにおいて、先に取得するデータと、後に取得するデータとの相対的な関係を意図する。
【００１２】
また、前記グループの各々に前記印刷フォームを個別に対応付ける対応付手段は、識別コードによってその対応関係を特定すると共に、この識別コードを前記印刷装置によって印刷シートに印刷し、前記所望のグループに属した前記データの印刷要求を受付ける受付手段は、前記印刷シートに印刷された識別コードを認識すると共に、前記印刷要求の対象となった前記グループに対応する識別コードを認識したときに、そのグループに属したデータの印刷要求とみなす構成であってもよい。
【００１３】
この構成によれば、印刷支援装置は、識別コードによってグループと印刷フォームとの対応関係を把握している。また、識別コードは、印刷シートに印刷され、印刷支援装置は、この印刷シートに印刷された識別コードを識別することで、当該印刷シートに印刷すべきデータと、このデータの属するグループに対応した印刷フォームを選出し、また、データの印刷要求とみなしている。
なお、前記識別コードは、バーコードであることが望ましい。また、前記識別コードは、ＱＲコード等、その他の二次元コードを採用することもできる。
【００１４】
また、前記第１のデータより以前に取得したデータを、その属性に従って前記グループに振分ける手段と、前記第１のデータより以前に取得したデータの印刷領域を、同グループに属した前記第１のデータ及び第２のデータの印刷領域と異なる位置に割当てる手段と、をさらに備え、前記印刷要求があったときに、前記印刷フォームに従って前記第１のデータを印刷装置に印刷させる手段は、前記第１のデータと共に、この第１のデータと同グループに属した前記第１のデータより以前に取得したデータを前記印刷フォームに従って印刷装置に印刷させることを特徴とする。
【００１５】
このようにすれば、第１のデータと共に、この第１のデータよりも先に取得したデータが印刷装置によって印刷されることになる。
【００１６】
また、上記した技術的課題を解決するために、本発明では以下の印刷支援方法を採用した。
すなわち、コンピュータが、複数のスケジュールに従って取得したデータを印刷装置に印刷させるための印刷支援方法であって、前記複数のスケジュールに従って第１のデータを複数取得するステップと、前記スケジュールに於いて前記第１のデータの取得後に取得予定の第２のデータを複数取得するステップと、前記第１のデータ及び第２のデータの属性に基づいて、これら複数のデータを複数のグループに順次振分けるステップと、前記グループの各々に固有の印刷フォームを個別に対応付けるステップと、所望のグループに属した前記データの印刷要求を受付けるステップと、印刷要求のあったグループに対応している前記印刷フォームに、このグループに属する第１のデータの印刷領域を割当てるステップと、前記第１のデータの印刷領域と異なる位置に、前記第１のデータと同グループに振分けられた前記第２のデータの印刷領域を割当てるステップと、前記印刷要求があったときに、前記印刷フォームに従って前記第１のデータを印刷装置に印刷させるステップと、前記印刷要求を再び受付けたときに、前記印刷フォームに従って前記第２のデータを前記印刷装置に印刷させるステップと、を前記コンピュータに実行させることを特徴とする印刷支援方法。
【００１７】
また、前記グループの各々に前記印刷フォームを個別に対応付けるステップでは、識別コードによってその対応関係を特定すると共に、この識別コードを前記印刷装置によって印刷シートに印刷させ、前記所望のグループに属した前記データの印刷要求を受付けるステップでは、前記印刷シートに印刷された識別コードを認識すると共に、前記印刷要求の対象となったグループに対応する識別コードを認識したときに、そのグループに属したデータの印刷要求とみなす印刷支援方法であってもよい。
【００１８】
このように構成された印刷支援方法によれば、コンピュータは、複数の様々なスケジュールに従って第１のデータと第２のデータを複数取得し、これら各データのうち、同一のグループに属する第１のデータ及び第２のデータを当該グループに対応付けした印刷フォームに従って印刷装置に印刷させる。また、このとき第２のデータの印刷領域は、第１のデータと異なる印刷領域に割当てられる。
【００１９】
また、前記第１のデータより以前に取得したデータを、その属性に従って前記グループに振分けるステップと、前記第１のデータより以前に取得したデータの印刷領域を、同グループに属した前記第１のデータ及び第２のデータの印刷領域と異なる位置に割当てるステップと、をさらに備え、前記印刷要求があったときに、前記印刷フォームに従って前記第１のデータを印刷装置に印刷させるステップは、前記第１のデータと共に、この第１のデータと同グループに属した前記第１のデータより以前に取得したデータを前記印刷フォームに従って前記印刷装置に印刷させる方法であってもよい。
【００２０】
また、上記した技術的課題を解決するために、本発明では以下の印刷支援プログラムを採用した。
すなわち、コンピュータが、複数のスケジュールに従って取得したデータを印刷装置に印刷させるための印刷支援プログラムであって、前記複数のスケジュールに従って第１のデータを複数取得するステップと、前記スケジュールに於いて前記第１のデータの取得後に取得予定の第２のデータを複数取得するステップと、前記第１のデータ及び第２のデータの属性に基づいて、これら複数のデータを複数のグループに順次振分けるステップと、前記グループの各々に固有の印刷フォームを個別に対応付けるステップと、所望のグルー
プに属した前記データの印刷要求を受付けるステップと、印刷要求のあったグループに対応している前記印刷フォームに、このグループに属する第１のデータの印刷領域を割当てるステップと、前記第１のデータの印刷領域と異なる位置に、前記第１のデータと同グループに振分けられた前記第２のデータの印刷領域を割当てるステップと、前記印刷要求があったときに、前記印刷フォームに従って前記第１のデータを印刷装置に印刷させるステップと、前記印刷要求を再び受付けたときに、前記印刷フォームに従って前記第２のデータを前記印刷装置に印刷させるステップと、を前記コンピュータに実行させることを特徴とする印刷支援プログラム。
なお、上記の課題を解決するための手段に記載の内容は、本発明の課題や技術的思想を逸脱しない範囲において組合せることができる。
【発明の効果】
【００２１】
このように本発明によれば、データの取得の有無を問わず、そのグループに属する予定のデータに予め印刷要求を発生させることができるため、煩雑な操作をその都度行うこと無く所望の印刷フォームに従って所定期間に亘るデータを得ることができる。また、取得予定のデータに対して予め印刷要求を発生させることができるため、印刷要求が発生しているデータのみが印刷されることになり、以て、データの機密性も保持することができる。
【発明を実施するための最良の形態】
【００２２】
以下、スロットマシンやパチンコ等の遊技機が設置された遊技店の業務管理コンピュータに、本発明の印刷支援装置を適用した実施の形態について説明する。
【００２３】
まず、本印刷支援装置の説明に先立ち、図１に示す店内概略図及び図２のブロック図を参照しながら業務管理コンピュータ、並びにその周辺機器について説明する。
遊技店のホール１内には複数の島設備２が設けられており、この島設備２に複数の遊技機３が設置されている。また、隣接した遊技機３，３間には、プリペードカードの発券機や玉貸し機等の台間機（図示せず）が設けられている。
また、各遊技機３には、台コンピュータ７が設けられ、遊技機３や台間機の稼働状態等を示す遊技データは台コンピュータ７から島設備２の島コンピュータ（図示略）に一旦蓄積され、そして、島コンピュータを経由して業務管理コンピュータ１０に送信されている。
【００２４】
一方、業務管理コンピュータ１０は、ＣＰＵ（中央演算装置）５、ハードディスク（ＨＤＤ：大容量記憶装置）１７、ＣＤ−ＲＯＭ（光磁気ディスク記憶装置）４、ＲＡＭ（記憶装置）６、入出力ポート、通信装置１５等の汎用コンピュータ１１が有する構成部品の他、周辺機器としてディスプレイ１２、キーボード１３、マウス（図示略）、及びスキャナ１６内蔵のプリンタ（印刷装置）１４を備えている。
【００２５】
また、ハードディスク１７には、ＣＰＵ５を操作するためのオペーレーティングシステム（ＯＳ）の他、周辺機器を駆動するためのドライバ、及び業務管理プログラム等のアプリケーションプログラムが記憶されており、ＣＰＵ５は、オペレーティングシステムの稼働下でアプリケーションソフトを起動して、各種処理を実行する。
【００２６】
また、ハードディスク１７には、印刷支援プログラム２０がインストールされており、ＣＰＵ５は、業務管理コンピュータ１０に接続したプリンタ１４を印刷支援プログラム２０の実行によって制御している。すなわち、印刷支援プログラム２０を業務管理コンピュータ１０のＣＰＵ５で実行することで、本発明の印刷支援装置や各種手段を実現している。
なお、ハードディスク１７に対する印刷支援プログラム２０のインストールは、印刷支
援プログラム２０が記憶された記憶媒体をＣＤ−ＲＯＭ４によってハードディスク１７に取込んでいる。
【００２７】
続いて、印刷支援プログラム２０について、プリンタ装置１４の制御状態を踏まえて説明する。
【００２８】
本実施の形態に示す印刷支援プログラム２０は、遊技データを取得するためのロジックと、取得した遊技データを集計してグループ化するためのロジックと、グループ化された遊技データと帳票の印刷時に用いる印刷フォームとを対応付けるためのロジックと、帳票の印刷要求を受付けるためのロジックと、印刷フォームに対応したバーコードを印刷シートに付与するためのロジックと、印刷フォームに遊技データの印刷領域を割当てるためのロジックと、遊技データが割当てられた印刷フォームに従って帳票を印刷するためのロジックと、に大別される。
【００２９】
遊技データを取得するためのロジックは、例えば、遊技機３の稼働率、入賞率、特賞率等の遊技データを島列番号、機種名、取得日時等の属性情報に対応づけて取得するために、業務管理コンピュータ１０を通じて通信装置１５の通信ポートを島コンピュータに解放する。そして、通信ポートを介して取得した遊技データを一旦業務管理コンピュータ１０のハードディスク１７に読込むようにＣＰＵ５を制御する。
【００３０】
取得した遊技データを集計してグループ化するためのロジックは、ハードディスク１７内の遊技データをＲＡＭ６に読出し、これら複数の遊技データの属性情報、すなわち島列番号、機種名、取得日時等を参照して遊技データを順次グループ化するようにＣＰＵ５を制御する。
【００３１】
各遊技データと帳票の印刷時に用いる印刷フォームとを対応付けるためのロジックは、例えば、任意の島列において、その一週間の帳票を作成するために用いる印刷フォームと、その一週間の帳票に掲載予定の遊技データの属するグループに共通の識別コードを付与するようにＣＰＵ５を制御する。
【００３２】
帳票の印刷要求を受付けるためのロジックは、入出力ポートを周辺機器に解放して、例えば、キーボード１３による特定の操作や、後に詳述するバーコードを認識して、帳票の印刷要求とみなすようにＣＰＵ５を制御する。
【００３３】
印刷フォームに対応したバーコードを印刷シートに付与するためのロジックは、印刷フォームの識別コードをＲＡＭ６に読込み、さらに、入出力ポートをプリンタ１４に解放して、この識別コードに対応したバーコードを印刷シートに印刷するようにＣＰＵ５を制御する。
【００３４】
印刷フォームに遊技データの印刷領域を割当てるためのロジックは、印刷要求のあった帳票の作成に要する印刷フォームと、この印刷フォームと共通の識別コードを有するグループに属した複数の遊技データをＲＡＭ６に読出し、その遊技データの属性情報を参照して各遊技データの印刷領域を印刷フォームに割当てるようにＣＰＵ５を制御する。
【００３５】
遊技データが割当てられた印刷フォームに従って帳票を印刷するためのロジックは、遊技データの割当てられた印刷フォームをプリンタ１４に送信して、プリンタ１４を駆動するようにＣＰＵ５を制御する。
【００３６】
続いて、本印刷支援プログラム２０を図４〜図６に示すフローチャートを参照して説明する。また、図３は、本印刷支援プログラム２０の実行によって印刷される帳票のレイア
ウトを示す図である。
【００３７】
まず、ＣＰＵ５は、島コンピュータに蓄積された複数の遊技データを、予め定めたスケジュールに従って各島列ごとに取得する（Ｓ１０１）。
ここで予め定めたスケジュールとは、遊技データの取得にあたり、例えば、一営業日に於いて午前、午後、閉店時の３回に亘って遊技データを取得するなどのプログラム上の設定に相当する。
【００３８】
続いて、ＣＰＵ５は、各遊技データの属性情報を参照して遊技データのグループ化を実行する（Ｓ１０２）。ここでＣＰＵ５は、取得した遊技データの島列番号、機種名、取得日時等の属性情報を読込み、一の遊技データを基準の遊技データ（以下基準データと称する）とみなす。そして、まず、この基準データと同じ島列番号、機種名の属性情報を有する遊技データを抽出する。そして、この基準データの前３日間で取得済みの遊技データと基準データの取得日以降の一週間で取得予定の遊技データを１つのグループとみなして、遊技データのグループ化を行う。そして、スケジュールの進行に伴って新たに遊技データを取得するたびに、順次遊技データを振分けてグループ化を進める。
【００３９】
なお、基準データは、特定の遊技データのみに付与されるものではなく、例えば月曜日に取得した遊技データがその前３日及び以後の一週間の基準データであれば、後日取得した火曜日の遊技データは、上記月曜日のグループに属すると共に、この火曜日の遊技データ自体もその前３日及び以後の一週間の基準データに値する。つまり、個々の遊技データは、他の遊技データと同グループに属すると同時に他のグループの基準データでもある。
【００４０】
また、本発明において、基準データが第１のデータに相当し、基準データの取得日以降（例えば翌営業日）に取得予定の遊技データが第２のデータに相当する。また、基準データの前日に取得済みの遊技データが、第１のデータより以前に取得したデータに相当する。
【００４１】
そして、ＣＰＵ５は、基準データとその前３日間に取得した遊技データと以後の一週間に於いて取得予定の遊技データとを１つのグループとして、このグループに印刷フォームを個別に対応づける（Ｓ１０３）。つまり、本ステップでは、基準データの取得日から始まる一週間の帳票（図２参照）を作成するための印刷フォームを各グループに対応付ける。
【００４２】
具体的には、例えば、島列番号「０１」、機種名「ＡＡＡ」の属性情報を有する遊技データのうち、月曜日に取得した遊技データを基準データとみなすグループについては、図３の帳票のレイアウトに示すように、そのタイトルＴが島列番号「０１」、機種名「ＡＡＡ」と表記され、且つその下方に月曜日を先頭とした以後一週間の遊技データを印刷するための印刷領域Ｐ１〜Ｐ７が確保された印刷フォームＦが対応付けされる。また、ＣＰＵ５は、グループと印刷フォームの対応付けにおいて、識別コードによって、その両者の対応関係を特定している。
【００４３】
続いて、ＣＰＵ５は、帳票の印刷要求を受付ける（Ｓ１０４）。
本ステップでは、プリンタ１４に出力すべき帳票の指定をグループ単位で受けて、この帳票の印刷要求とみなしている。
具体的には、島列番号「０１」、機種名「ＡＡＡ」のグループで、さらに月曜を開始日とした一週間の帳票を必要とする場合には、島列番号「０１」、機種名「ＡＡＡ」、開始日「月曜日」とのデータをキーボード１３若しくはマウスを用いて指定することで、未だ取得していない遊技データを含め、これらの遊技データを含むグループの各遊技データに
対して一括して印刷要求を生成することができる。
【００４４】
つまり、本ステップによれば、遊技データの取得の有無を問わず、当該グループに属する予定の一週間分のデータに予め印刷要求を発生させることができる。
【００４５】
続いて、ＣＰＵ５は、印刷要求のあった帳票のグループに対応している印刷フォームに付与された識別コードに基づいて、この識別コードに対応したバーコードＢを生成する（Ｓ１０５）。そして、当該印刷フォームＦの左下欄にバーコードＢの印刷領域を割当てる（Ｓ１０６）。また、白紙の印刷シートがプリンタ１４にセットされたことを受けて、この印刷シートに島列番号「０１」、機種名「ＡＡＡ」等のタイトルＴとバーコードＢを印刷するようにプリンタ１４を制御し（Ｓ１０７）、このタイトルＴ及びバーコードＢの印刷後に本処理ルーチンを一旦終了する。
【００４６】
続いて、ＣＰＵ５は、タイトル及びバーコードが印刷された印刷シートが新たにプリンタ装置１４にセットされたことを受けて（Ｓ２０１）、帳票の印刷作業に移る。
まず、ＣＰＵ５は、プリンタ１４に組込まれたスキャナ１６（図示略）によって、このバーコードＢを読取り、バーコードＢに対応する印刷フォームを複数ある印刷フォームの中から自動的に選出する（Ｓ２０２）。
【００４７】
続いて、ＣＰＵ５は、この印刷フォームに付与されている識別コードに基づいて、対応関係にあるグループを特定し（Ｓ２０３）、このグループの基準データ（前例では、月曜日の遊技データ）の印刷領域を当該印刷フォームの先頭部分Ｐ１に割当てる（Ｓ２０４）。
【００４８】
そして、月曜日の遊技データ（基準データ）に相当する印刷データを印刷フォームに従って生成し（Ｓ２０５）、プリンタ１４に対してこの印刷データを送信して、月曜日の遊技データが記載された帳票を印刷するようにプリンタ１４を制御する（Ｓ２０６）。そして、本処理を一旦終了する。
よって、プリンタ１４からは、月曜日の遊技データが記載された印刷シート（帳票）が排出されることになる。
【００４９】
続いて、ＣＰＵ５は、後日（火曜日）、この印刷シートが新たにプリンタ１４にセットされたことを受けて（Ｓ３０１）、火曜日の遊技データが記載された帳票の印刷作業に移る。
まず、ＣＰＵ５は、プリンタ１４に組込まれたスキャナ１６によって、この印刷シートに印刷されたバーコードＢを読取り、バーコードＢに対応する印刷フォームを複数ある印刷フォームの中から自動的に選出する（Ｓ３０２）。
【００５０】
続いて、ＣＰＵ５は、この印刷フォームに付与されている識別コードに基づいて、対応関係にあるグループを特定し（Ｓ３０３）、このグループの基準データの取得日の翌日に取得して同グループに振分けられた遊技データ、すなわち、火曜日の遊技データの印刷領域を月曜日の遊技データの印刷領域Ｐ１の下段（Ｐ２）に割当てる（Ｓ３０４）。
【００５１】
そして、火曜日の遊技データに相当する印刷データを印刷フォームに従って生成し（Ｓ３０５）、プリンタ１４に対してこの印刷データを送信して、火曜日の遊技データが記載された帳票を印刷するようにプリンタ１４を制御する（Ｓ３０６）、そして、本処理を一旦終了する。
【００５２】
また、以下同様にして、ＣＰＵ５は、水曜日、木曜日、金曜日、土曜日の遊技データを上記同様の制御によって印刷するようにプリンタ１４を制御する。また、グループに属し
た遊技データのうち、最後に取得予定の遊技データすなわち日曜日の遊技データを取得して本印刷フォームに対する遊技データの割当てを行った後、この日曜日の遊技データをプリンタ１４に印刷させた後にプリンタ１４の制御を終了する。
【００５３】
このように本印刷支援プログラム２０によれば、印刷支援プログラム２０を業務管理コンピュータ１０に導入することで、業務管理コンピュータ１０は、複数の様々なスケジュールに従って遊技データを複数取得し、これら遊技データのうち、同一のグループに属する遊技データを当該グループに対応付けした印刷フォームに従って印刷装置に印刷させることができる。また、このとき基準データの取得後に取得予定の遊技データについては、基準データと異なる印刷領域に、その印刷領域が割当てられる。
【００５４】
すなわち、印刷に供するデータの選別や、スケジュールに従ったデータの並び換え、また、印刷シートに対する印刷領域の設定作業等が印刷支援装置によって自動処理されるため、バーコードＢが印刷された印刷シートをプリンタ１４にセットするのみで、所望のグループに属した遊技データが自動的に選別され、また、後日、取得予定の遊技データについては、前日に取得した遊技データの下段に順次追記されることになる。
【００５５】
よって、例えばホール管理者が、業務管理コンピュータ１０を操作して、一度バーコードＢの付された印刷シートを印刷しておけば、データの取扱いに不慣れなホールスタッフや釘調整の担当者であっても、この印刷シートをプリンタ１４にセットするのみで、ホール管理者が指定した項目のみが正確に記載されている帳票を使い勝手良く、容易に得ることができる。
【００５６】
このように本印刷支援プログラム２０によれば、指定項目以外の遊技データは外部に漏れることもなく、また、遊技データの管理者は、遊技データの取得の有無を問わず、後の定められた期間について予め印刷要求を発生させることができるため、その労力も軽減されることになる。また、バーコードが付与された印刷シートをプリンタ１４にセットするのみで、その印刷シートに掲載する遊技データが自動的に選択されるため、例えば、プリンタ１４に複数枚の印刷シートをセットした場合においても、各印刷シートには、その印刷シートに掲載すべき遊技データが正確に割当てられて印刷される。
【００５７】
なお、上記した実施の形態に記載の印刷支援装置、及び印刷支援プログラム２０の詳細は、各種仕様に応じて種々変更することができる。
【００５８】
例えば、上記した実施の形態では、印刷シートに印刷したバーコードＢが、島列番号、機種名、及び遊技データの取得日時等に対応つけられているが、このバーコードＢに加えて店番に対応したバーコードＢ１を印刷フォームに関連付けると、この店番に対応した遊技店のみにおいて、帳票の出力が可能になる。よって、この場合には、複数店舗のデータを一括して管理する場合等において、他店の同島列番号を有する遊技機の遊技データが別の店舗の帳票に紛れ込むことを防止することができる。
【００５９】
また、上記した実施の形態では、月曜日から日曜日に亘る遊技データの印刷を例に説明したが、例えば、月曜日の前３日間の遊技データを集計して帳票にその印刷領域を割当てておく、若しくは、前３日間の遊技データの印刷領域を個別に割当ててプリンタ１４に印刷させるなどの構成も考えられる。この場合には、上述したグループ化の処理の説明にあるように、遊技データの属性を参照して、前３日間の遊技データを基準データと同一のグループに振分け、この遊技データを印刷フォームに反映させる。
【００６０】
より詳しくは、基準データ（月曜日の遊技データ）の印刷要求の発生を受けて、この基準データの他に、前３日間の遊技データの印刷領域を基準データと異なる位置に割当て、
そして、基準データと共に前３日間の遊技データをプリンタ１４に印刷させるように制御する。よって、この場合には、初日（月曜日）においても、前日の状況を同じ帳票によって把握することができる。
【００６１】
また、上記した実施の形態では、１週間単位でグループ化したが、必ずしもその必要はなく、数時間単位、一月単位、曜日単位等でグループ化することも可能であり、グループ化の単位は、帳票の用途に応じて種々設定変更可能である。
【００６２】
また、本実施の形態では、業務管理コンピュータ１０に接続したプリンタ１４によって帳票を印刷しているが、島設備２やホールカウンターに帳票出力用のプリンタ装置を別途設けて、このプリンタ装置から帳票を出力するようにも構成できる。
【００６３】
また、本実施の形態では、遊技データの帳票作成に本印刷支援装置を適用した実施の形態について説明したが、本印刷支援装置、印刷支援方法、印刷支援プログラムは、遊技データのみならず、例えば、大規模販売店の販売データの管理や、担当者ごとの営業成績の管理等にも用いることができ、その用途は、遊技データの管理のみに限定されるものではない。
【図面の簡単な説明】
【００６４】
【図１】遊技店のホール内を示す店内概略図
【図２】本実施の形態に係る業務管理コンピュータ（印刷支援装置）のブロック図。
【図３】本実施の形態に係る印刷支援プログラムの実行によって印刷される帳票のレイアウトを示す図。
【図４】本実施の形態に係る印刷支援プログラムの実行によってＣＰＵが処理する項目を示したフローチャート。
【図５】本実施の形態に係る印刷支援プログラムの実行によってＣＰＵが処理する項目を示したフローチャート。
【図６】本実施の形態に係る印刷支援プログラムの実行によってＣＰＵが処理する項目を示したフローチャート。
【符号の説明】
【００６５】
１  ホール
２  島設備
３  遊技機
４  ＣＤ−ＲＯＭ
５  ＣＰＵ
６  ＲＡＭ
７  台コンピュータ
１０  業務管理コンピュータ
１２  ディスプレイ
１３  キーボード
１４  プリンタ（印刷装置）
１５  通信装置
１６  スキャナ
１７  ハードディスク
２０  印刷支援プログラム
Ｂ  バーコード
Ｂ１  バーコード
Ｆ  印刷フォーム
Ｐ１〜Ｐ７  印刷領域
Ｔ  タイトル
【図１】
2006318130.tif 000003
【図２】
2006318130.tif 000004
【図３】
2006318130.tif 000005
【図４】
2006318130.tif 000006
【図５】
2006318130.tif 000007
【図６】
2006318130.tif 000008